(57)【要約】【課題】血圧測定に影響を及ぼす衣服で測定部位が覆われていないかどうかをより正確に判定することができる血圧計を提供する。【解決手段】血圧計１０は、カフ５０を加圧する加圧ポンプ２３と、加圧ポンプ２３により加圧されるカフ５０内の圧力を検出する圧力センサ２５と、加圧ポンプ２３によりカフ５０が加圧されるときに、被測定者の測定部位とカフ５０の間の接触圧分布を検出する触覚アレイセンサ３１と、触覚アレイセンサ３１により検出された接触圧分布に応じて、被測定者の血圧測定が適切に行われるか否かを判定する測定可否判定部４８と、を有する。【選択図】図５
2014184071.tif 000002
【特許請求の範囲】
【請求項１】
カフを加圧する加圧部と、
前記加圧部により加圧される前記カフ内の圧力を検出するカフ圧検出部と、
前記加圧部により前記カフが加圧されるときに、被測定者の測定部位と前記カフの間の接触圧分布を検出する接触圧検出部と、
前記接触圧検出部により検出された接触圧分布に応じて、前記被測定者の血圧測定が適切に行われるか否かを判定する判定部と、
を有することを特徴とする血圧計。
【請求項２】
前記判定部は、前記接触圧分布のばらつき量に応じて、前記被測定者の血圧測定が適切に行われるか否かを判定する、請求項１に記載の血圧計。
【請求項３】
前記判定部は、前記ばらつき量として、前記加圧部により前記カフが加圧上限圧力まで加圧されたときに当該加圧に追従して前記接触面の各点での接触圧がそれぞれ最大になる時点の時間差を用いる、請求項２に記載の血圧計。
【請求項４】
前記判定部は、前記ばらつき量として、前記加圧部が前記カフを加圧する前の前記接触圧分布のばらつき量をさらに用いる、請求項３に記載の血圧計。
【請求項５】
前記判定部は、前記ばらつき量として、前記加圧部が前記加圧上限圧力まで前記カフを加圧した後の前記接触圧分布のばらつき量をさらに用いる、請求項３または４に記載の血圧計。
【請求項６】
前記接触圧検出部は、被測定者の測定部位と接触する前記カフの面に設けられた、複数の触覚センサ素子で構成される触覚アレイセンサである、請求項１〜５のいずれか一項に記載の血圧計。
【請求項７】
前記判定部による判定結果を報知する報知部をさらに有する、請求項１〜６のいずれか一項に記載の血圧計。
【発明の詳細な説明】
【技術分野】
【０００１】
本発明は、血圧計に関する。
【背景技術】
【０００２】
一般的な上腕式の血圧計では、腕にカフ（腕帯）を巻き、カフ内に空気を送り込んでカフを加圧することにより、血圧値を測定する。こうした上腕式の血圧計では裸腕で測定することが前提であるが、冬場の低温環境下では、衣服を着たまま、袖まくりせずに測定したい事情がある。そこで、衣服の袖の上にカフを巻いて測定できるようにした血圧計が知られている。
【０００３】
特許文献１には、着衣のまま血圧測定した場合の測定精度を向上させることのできる血圧測定装置が記載されている。この血圧計は、予め、測定部位から衣服を除いた状態での測定値と、着衣のままでの測定値とから、着衣のままでの測定値から血圧値を算出するためのパラメータを記憶する。血圧測定時にボタンで服有りモードが選択されると、測定値に対して記憶されている上記パラメータを用いて血圧値を算出する。
【０００４】
特許文献２には、空気が供給されて膨張するカフを測定部位に巻付けてカフ内の圧力に基づく血圧を算出する血圧算出部と、カフの内面であって測定部位の表面側に接する第１の内面と、内面であって第１の内面と対向する第２の内面との距離を測定する厚み検出部と、巻付けに際してカフに一定量の空気を供給して閉じ込めた後に、厚み検出部から出力される測定距離の値と、カフが測定部位に最適に巻付けられた状態を示す値とを比較して、巻付け状態を検出する巻付け判定部とを備える電子血圧計が記載されている。
【０００５】
特許文献３には、生体の測定部位に巻付けられて空気が供給されることにより膨張するカフと、カフの内圧を測定するセンサと、センサが測定した内圧に基づき血圧を算出する血圧／脈拍算出部位と、血圧測定に際して、カフが巻付けられた測定部位において検出されるカフ圧に基づき、生体とカフの間に衣服が介在するか否かを検出する測定条件検出部と、血圧／脈拍算出部により算出されたデータと測定条件検出部による検出結果とを報知する報知部とを備える電子血圧計が記載されている。
【先行技術文献】
【特許文献】
【０００６】
【特許文献１】特許第４７３０３３２号公報
【特許文献２】特開２００９−２９７３５３号公報
【特許文献３】特開２０１０−０１７３３４号公報
【発明の概要】
【発明が解決しようとする課題】
【０００７】
例えば薄手のシャツであれば、衣服の上からカフを巻いて測定しても誤差は少ないと考えられる。しかし、どのような衣服であれば衣服の上からでも測定できるかということは、ユーザにとって主観的な判断となる。自分の着ている衣服が血圧を正確に測定可能な衣服なのかどうかを判断することは、ユーザにとって困難である。
【０００８】
衣服の厚みを検出して衣服の有無を判定することも考えられるが、同じ厚みでも衣服の素材によって血圧測定に及ぼす影響が異なる。このため、実際には、厚みだけで測定可否を判定することはできない。
【０００９】
そこで、本発明は、血圧測定に影響を及ぼす衣服で測定部位が覆われていないかどうかを、本構成を有しない場合と比べてより正確に判定することができる血圧計を提供することを目的とする。
【課題を解決するための手段】
【００１０】
本発明に係る血圧計は、カフを加圧する加圧部と、加圧部により加圧されるカフ内の圧力を検出するカフ圧検出部と、加圧部によりカフが加圧されるときに、被測定者の測定部位とカフの間の接触圧分布を検出する接触圧検出部と、接触圧検出部により検出された接触圧分布に応じて、被測定者の血圧測定が適切に行われるか否かを判定する判定部と、を有することを特徴とする。
【００１１】
本発明に係る血圧計では、判定部は、接触圧分布のばらつき量に応じて、被測定者の血圧測定が適切に行われるか否かを判定することが好ましい。
【００１２】
本発明に係る血圧計では、判定部は、ばらつき量として、加圧部によりカフが加圧上限圧力まで加圧されたときに当該加圧に追従して接触面の各点での接触圧がそれぞれ最大になる時点の時間差を用いることが好ましい。
【００１３】
本発明に係る血圧計では、判定部は、ばらつき量として、加圧部がカフを加圧する前の接触圧分布のばらつき量をさらに用いることが好ましい。
【００１４】
本発明に係る血圧計では、判定部は、ばらつき量として、加圧部が加圧上限圧力までカフを加圧した後の接触圧分布のばらつき量をさらに用いることが好ましい。
【００１５】
本発明に係る血圧計では、接触圧検出部は、被測定者の測定部位と接触するカフの面に設けられた、複数の触覚センサ素子で構成される触覚アレイセンサであることが好ましい。
【００１６】
本発明に係る血圧計では、判定部による判定結果を報知する報知部をさらに有することが好ましい。
【発明の効果】
【００１７】
本発明によれば、血圧測定に影響を及ぼす衣服で測定部位が覆われていないかどうかを、本構成を有しない場合と比べてより正確に判定することができる血圧計を提供することが可能になる。
【図面の簡単な説明】
【００１８】
【図１】血圧計１０の斜視図である。
【図２】衣服が血圧測定に与える影響を説明するための図である。
【図３】衣服による血圧測定値の変化を示したグラフである。
【図４】触覚アレイセンサ３１の説明図である。
【図５】血圧計１０の概略ブロック図である。
【図６】カフ５０が加圧されるときに各触覚センサにより検出される接触圧の時間変化を模式的に示したグラフである。
【図７】血圧計１０による血圧測定の動作例を示したフローチャートである。
【図８】接触圧分布のばらつき量のしきい値を決める実験結果のデータを示す表である。
【図９】ある被験者について異なる衣服の袖の上からカフ５０を巻いて、接触圧分布の時間変化を測定した結果を示したグラフである。
【発明を実施するための形態】
【００１９】
以下、添付図面を参照して、本発明に係る血圧計について詳細に説明する。ただし、本発明の技術的範囲はそれらの実施の形態に限定されず、特許請求の範囲に記載された発明とその均等物に及ぶ点に留意されたい。
【００２０】
図１は、血圧計１０の斜視図である。血圧計１０は、本体２０と、カフ５０と、空気管６０とを有する。カフ５０は、図示しない空気袋を内蔵し、所定のベルトによって例えば被測定者の上腕部に固定される。カフ５０は空気管６０により本体２０と接続され、カフ５０には空気管６０を通して本体２０から空気が送り込まれる。血圧計１０は、カフ５０を加圧した後、カフ５０を減圧する過程で、被測定者の血圧を測定する。
【００２１】
本体２０は、少なくとも表示部２１および操作部２２を有する。表示部２１は、例えば液晶表示パネルで構成され、測定中の数値や最高血圧値および最低血圧値の測定結果などを表示する。操作部２２は、測定の開始／停止を指示するためのスイッチや、被測定者を選択するためのスイッチなどを有する。
【００２２】
例えばオシロメトリック方式の血圧計では、腕にカフを巻き、カフ内に空気を送り込んで腕の締め付け圧を上げ、動脈からの脈波が消失するところまで加圧させる。その後、一定流速で減圧した際の脈波の出現と消失の間の波高状態から、血圧値を測定している。オシロメトリック方式の血圧計では、加圧・減圧時の動脈からの脈波の状態を検出するため、裸腕で測定することが前提である。
【００２３】
図２（Ａ）および図２（Ｂ）は、衣服が血圧測定に与える影響を説明するための図である。図２（Ａ）および図２（Ｂ）は、それぞれ、腕８１の皮膚８２に直接カフ８５を巻いた状態および衣服（袖）８４の上から腕８１にカフ８５を巻いた状態を示した模式図である。８６はカフ材、８７はカフ内の空気である。衣服８４の上からカフ８５を巻くと、衣服８４の素材によっては一種のダンパ作用となり、動脈８３からカフ８５への脈波の伝播や、カフ８５内の圧力分布が不均一となる。このため、衣服の上から測定を行うと、脈波の検出の精度が悪くなって、裸腕で測定したときより血圧値が高めに測定される傾向となる。
【００２４】
図３は、裸腕で測定したときに最高・最低血圧値がそれぞれ１３０ｍｍＨｇ，８０ｍｍＨｇである被験者について、様々な衣服の上から測定すると血圧値がどのように変化するかを示したグラフである。図示したように、Ｙシャツの上から測定したときは、薄手の衣服であることから裸腕のときと値はあまり変わらない。しかし、トレーナーやセーターの上から測定したときは、衣服の厚みや素材の弾性に起因して、裸腕で測定したときより高めの値となる。また、トレーナーをまくり上げた状態で皮膚にカフを巻き測定した場合は、測定部位自体は裸腕であるが、まくり上げることによって腕が阻血されるため、やはり数値が高めになる。
【００２５】
このように、衣服のダンパ効果によって脈波の発生・消失が変化してしまうため、上腕式の血圧計では、基本的には衣服の袖をまくり上げてカフを巻き、測定する。しかし、冬場では衣服を着ている状態が普通であり、袖をまくり上げて測定すると、まくり上げたことによる圧迫で血圧値が高めとなってしまう。また、血圧値は低温環境下でも変化し、特に高齢者の場合、冬場にはヒートショックと呼ばれる急激な温度変化で脳卒中などを誘発する恐れがあるため、安易に衣服を脱ぐことは難しい。このため、衣服を着たまま、袖まくりせずに血圧を測定したい事情がある。
【００２６】
市販の血圧計では、例えば薄手のシャツであれば、衣服の上からカフを巻いて測定しても誤差は少ないと言われている。しかし、どのような衣服であれば衣服の上からでも測定できるかということを判断するのは、ユーザにとって困難である。衣服の厚みを検出して衣服の有無を判定する血圧計も知られているが、同じ厚みでも衣服の素材によって弾性が異なり、血圧測定に及ぼす影響が異なる。このため、実際には、厚みだけで測定可否を判定することはできない。
【００２７】
そこで、血圧計１０では、被測定者の測定部位（皮膚または衣服）と接触する側のカフ５０の面にシート状の触覚アレイセンサを配置する。そして、この触覚アレイセンサにより、カフ５０が加圧されるときに、カフ５０と測定部位との間の接触圧分布の変化を検出する。この接触圧分布のばらつきの程度は、カフ５０が巻かれている衣服の厚みや弾性を反映している。このため、血圧計１０は、そのばらつきの程度を定量化することにより、被測定者の血圧測定が適切に行われるか（すなわち、血圧測定に影響を及ぼす衣服で測定部位が覆われていないか）どうかを判定する。
【００２８】
図４（Ａ）および図４（Ｂ）は、触覚アレイセンサ３１の説明図である。触覚アレイセンサ３１は、格子状に配置された複数の触覚センサ３１Ａにより構成され、被測定者の測定部位との接触面に配置される。図４（Ａ）は、広げられたカフ５０に触覚アレイセンサ３１が配置されている図と、触覚アレイセンサ３１の上面を拡大した模式図を示す。一例として、血圧計１０では、１６ｍｍ×１６ｍｍの検出エリアを格子状に４２分割し、各格子に触覚センサ３１Ａを配置した触覚アレイセンサ３１を使用する。このように、触覚アレイセンサ３１は、接触圧の分布を検出できる一定の大きさの面積をもっていればよく、必ずしもカフ５０の全面を覆わなくてもよい。
【００２９】
図４（Ｂ）は、個々の触覚センサ３１Ａが接触圧を検出する原理を説明する図である。各触覚センサ３１Ａでは、触覚アレイセンサ３１の面に沿って配置された２枚の電極３１Ｂによりコンデンサが形成されている。触覚アレイセンサ３１の面が加圧されると、各触覚センサ３１Ａの電極３１Ｂ間の距離ｄが小さくなって静電容量に変化が生じる。血圧計１０では、触覚アレイセンサ３１の静電容量の変化を検出して圧力に換算することにより、測定部位とカフ５０の間の接触圧を検出する。
【００３０】
図５は、血圧計１０の概略ブロック図である。血圧計１０の本体２０は、表示部２１と、操作部２２と、加圧ポンプ２３と、駆動回路２４と、圧力センサ２５と、発振回路２６と、スローリークバルブ２７と、駆動回路２８と、制御部４０とを有する。加圧ポンプ２３、圧力センサ２５およびスローリークバルブ２７は、カフ５０と空気管６０で接続されている。
【００３１】
表示部２１と操作部２２は、図１に関して上記したものである。表示部２１は、血圧値の測定結果と併せて、衣服による測定可否をユーザに報知するためのメッセージを表示する。表示部２１は、報知部の一例である。
【００３２】
加圧ポンプ２３は、カフ５０に空気を送り込むことによって、カフ５０の内部を加圧する。加圧ポンプ２３は、加圧部の一例である。駆動回路２４は、制御部４０から与えられる制御信号に基づいて、加圧ポンプ２３を駆動する。
【００３３】
圧力センサ２５は、カフ５０内の圧力を検出して電気信号に変換するセンサであり、圧力検出信号を発振回路２６に出力する。カフ５０内の圧力とは、カフ５０に設けられた空気袋内の圧力である。圧力センサ２５はカフ圧検出部の一例である。発振回路２６は、圧力センサ２５から取得した圧力検出信号を周波数信号に変換し、制御部４０に出力する。カフ５０内の圧力は、この周波数の変化から算出される。
【００３４】
スローリークバルブ２７は、カフ５０に溜められた空気を徐々に排気する。駆動回路２８は、制御部４０から与えられる制御信号に基づいて、スローリークバルブ２７を開閉させる。
【００３５】
また、カフ５０は触覚アレイセンサ３１を有し、本体２０は触覚検出回路３２を有する。触覚検出回路３２は、触覚アレイセンサ３１の静電容量の変化を検出して圧力に換算することにより、被測定者の測定部位とカフ５０の間の接触圧を検出する。触覚アレイセンサ３１と触覚検出回路３２は、接触圧検出部の一例である。
【００３６】
制御部４０は、ＣＰＵや、ＲＡＭ、ＲＯＭなどを含んだ制御回路として構成される。制御部４０は、機能ブロックとして、メモリ４１と、加圧制御部４２と、血圧値測定部４３と、排気制御部４４と、表示制御部４５と、圧力分布取得部４６と、圧力変化解析部４７と、測定可否判定部４８とを有する。
【００３７】
メモリ４１は、血圧値測定部４３が測定した被測定者の測定値を記憶する。加圧制御部４２は、圧力センサ２５により検出される圧力が所定の加圧上限圧力になるまでカフ５０を加圧するように、駆動回路２４を制御する。
【００３８】
血圧値測定部４３は、発振回路２６が生成した周波数信号の周波数の変化から検出される各脈波の開始圧力値やその測定時間などのデータに基づき、例えばオシロメトリック方式を利用して、被測定者の最高血圧値と最低血圧値を測定する。
【００３９】
排気制御部４４は、スローリークバルブ２７によるカフ５０内の空気の排気を制御する。表示制御部４５は、血圧値測定部４３により測定された最高・最低血圧値や、測定可否判定部４８により判定された測定可否をユーザに報知するためのメッセージを表示部２１に表示させる。
【００４０】
圧力分布取得部４６は、触覚検出回路３２が検出した、被測定者の測定部位とカフ５０との接触面における接触圧の分布を取得する。カフ５０を加圧したときに検出されるこの接触圧の分布は、カフ５０が巻かれている素材により異なる。完全に均一なものに対して加圧するときは接触圧分布も一様になるが、衣服の袖の上にカフ５０が巻かれて加圧された場合は、その衣服の素材により接触圧分布が異なる。
【００４１】
圧力変化解析部４７は、図６を参照して次に説明する３つの量に着目して、圧力分布取得部４６が取得した接触圧分布のばらつきの程度を定量化する。
【００４２】
図６は、カフ５０が加圧されるときに各触覚センサにより検出される接触圧の時間変化を模式的に示したグラフである。触覚アレイセンサ３１を構成する触覚センサごとに静電容量変化の出力が異なることから、このグラフは、各触覚センサの位置により接触圧がある程度の幅をもって変化することを示している。
【００４３】
圧力変化解析部４７が着目する１つ目の量は、加圧を開始する前の、単に測定部位にカフ５０を巻いた状態のときに生じる圧力差ΔＰ１である。ここでいう圧力差とは、４２個の触覚センサが検出した接触圧の最大値と最小値の差である。例えばセーターなどの毛糸類の上からカフ５０を巻いた場合は、無加圧時でも毛足により接触圧のばらつきが大きくなるため、圧力差ΔＰ１は大きくなる。
【００４４】
圧力変化解析部４７が着目する２つ目の量は、加圧時の圧力変化の時間差ΔＴである。この時間差ΔＴは、加圧制御部４２が加圧上限圧力まで加圧して加圧を止めたときに、それに追従して４２個の触覚センサでの接触圧がそれぞれ最大になる時点のうちで、最も早い時点と最も遅い時点との時間差である。弾性が大きい素材の上からカフ５０を巻いた場合は、追従性が悪く位置によって加圧の影響の伝わりやすさが異なるため、この時間差ΔＴは大きくなる。
【００４５】
圧力変化解析部４７が着目する３つ目の量は、カフ５０が加圧上限圧力まで加圧された後に生じる圧力差ΔＰ２である。この圧力差も、ΔＰ１と同様に、４２個の触覚センサが検出した接触圧の最大値と最小値の差である。特に厚みのある素材では、加圧完了時の圧力差ΔＰ２は大きくなる。
【００４６】
測定可否判定部４８は、圧力変化解析部４７が定量化した接触圧分布のばらつき量ΔＰ１，ΔＴ，ΔＰ２に応じて、血圧測定に影響を及ぼす衣服で測定部位が覆われていないかどうかを判定する。測定可否判定部４８は、この判定のためのばらつき量ΔＰ１，ΔＴ，ΔＰ２のしきい値を、一例として、それぞれ１０００ｐＦ，５秒，３０００ｐＦとする。なお、触覚アレイセンサ３１により検出される接触圧は触覚センサの静電容量とともに大きくなるため、便宜的に圧力を静電容量の単位ｐＦ（ピコファラド）で表す。
【００４７】
測定可否判定部４８は、ΔＰ１≧１０００ｐＦ、ΔＴ≧５秒かつΔＰ２≧３０００ｐＦであるときに、血圧測定に影響を及ぼす衣服を被測定者が測定部位の上に着用しており、正確な血圧測定ができないと判定する。測定可否判定部４８は、それ以外のとき、すなわち、ΔＰ１＜１０００ｐＦ、ΔＴ＜５秒またはΔＰ２＜３０００ｐＦであるときには、被測定者が測定部位の上に衣服を着用していたとしても、その衣服を着用したままで血圧測定が可能であると判定する。測定可否判定部４８は、判定部の一例である。
【００４８】
次に、血圧計１０による血圧測定の動作について説明する。図７は、血圧計１０による血圧測定の動作例を示したフローチャートである。図７に示す処理フローは、制御部４０のＲＯＭに予め記録されているプログラムに従って、制御部４０のＣＰＵが実行する。
【００４９】
血圧測定に際して、被測定者は、カフ５０を手首に装着し、操作部２２のスイッチを用いて、被測定者を選択した上で測定開始を指示する。そしてまず、排気制御部４４が、スローリークバルブ２７を閉じて、カフ５０を加圧できる状態とする（Ｓ１１）。
【００５０】
加圧前に、圧力変化解析部４７は、触覚アレイセンサ３１からの出力に基づき、無加圧時の圧力差ΔＰ１を定量化する（Ｓ１２）。次に、加圧制御部４２によって駆動回路２４を制御し、カフ５０内に空気を送り込むことによって、カフ５０内を加圧上限圧力まで加圧する（Ｓ１３）。加圧が終了したときに、圧力変化解析部４７は、圧力変化の時間差ΔＴを定量化する（Ｓ１４）。さらに圧力変化解析部４７は、加圧完了時の圧力差ΔＰ２を定量化する（Ｓ１５）。
【００５１】
そして測定可否判定部４８は、圧力変化解析部４７により得られたばらつき量ΔＰ１，ΔＴ，ΔＰ２のそれぞれがしきい値未満かどうかを判定する（Ｓ１６）。ΔＰ１，ΔＴ，ΔＰ２のいずれかがしきい値を超えている場合（Ｓ１６でＮｏ）は、表示制御部４５が「衣服のため正確な測定ができません」というメッセージを表示部２１に表示する（Ｓ１７）。そして、排気制御部４４によりスローリークバルブ２７を開いてカフ５０を減圧しながら、血圧値測定部４３が血圧を測定し（Ｓ１８）、Ｓ２１に進む。
【００５２】
一方、ばらつき量ΔＰ１，ΔＴ，ΔＰ２がすべてしきい値未満である場合（Ｓ１６でＹｅｓ）は、上記のメッセージを表示せずに、カフ５０を減圧しながら、血圧値測定部４３が血圧を測定する（Ｓ１９）。この場合、制御部４０は、測定値をメモリ４１に記憶する（Ｓ２０）。
【００５３】
血圧測定が終了すると、表示制御部４５が、表示部２１を制御して測定結果を表示する（Ｓ２１）。また、排気制御部４４がスローリークバルブ２７を開いて、カフ５０内の空気を急速に排気する（Ｓ２２）。以上で、血圧計１０による血圧測定の動作は終了する。
【００５４】
接触圧分布のばらつき量に関する上記のしきい値の根拠について、次に説明する。上記のしきい値は、被験者１０人に対し裸腕でばらつき量ΔＰ１，ΔＴ，ΔＰ２を測定する実験を行った結果に基づいて定めたものである。この実験では、触覚アレイセンサとして、図４（Ａ）を用いて説明したものを使用している。被験者１０人に対して、裸腕にカフを巻いて０〜２００ｍｍＨｇまで加圧したときの、４２個の触覚センサからの出力のばらつき量ΔＰ１，ΔＴ，ΔＰ２は、図８に示したようになる。
【００５５】
図示したように、被験者１０人についてのばらつき量ΔＰ１，ΔＴ，ΔＰ２の値は、それぞれ、３００〜７１０ｐＦ、１．８〜３．８秒、１５２０〜２４８０ｐＦの範囲にある。この結果から、血圧測定時に検出される各ばらつき量がこれらの範囲内であれば、衣服の影響があっても血圧測定ができるが、各ばらつき量がこれらの範囲を超えた場合には、衣服の影響により測定値の精度が担保できなくなると言える。したがって、ばらつき量ΔＰ１，ΔＴ，ΔＰ２が、上記の実験結果と大きく乖離しない、それぞれ１０００ｐＦ未満、５秒未満、３０００ｐＦ未満であれば、衣服の上にカフを巻いて測定したとしても、裸腕で測定したときと同等の精度が得られると言える。このような理由から、血圧計１０では、各ばらつき量のしきい値を上記のように設定している。
【００５６】
なお、測定可否判定部４８は、時間差ΔＴだけに基づいて測定可否を判定してもよいし、時間差ΔＴと圧力差ΔＰ１の２つ、または時間差ΔＴと圧力差ΔＰ２の２つに基づいて測定可否を判定してもよい。ただし、時間差ΔＴは、しきい値内にないと血圧測定ができないため、必須の判定基準である。時間差ΔＴが大きくなると、脈の振動が変形して血圧計１０に伝搬されるため、血圧値を決定できなくなるおそれがある。一方、圧力差ΔＰ１，ΔＰ２については、しきい値内から外れても血圧測定はできるが、測定値の誤差が大きくなる。したがって、測定可否の判定は、必ずしもすべてのばらつき量ΔＰ１，ΔＴ，ΔＰ２について行わなくてもよいが、測定精度の観点から、３つのばらつき量ΔＰ１，ΔＴ，ΔＰ２のすべてについて行うことが好ましい。
【００５７】
図９（Ａ）〜図９（Ｃ）は、ある被験者について、それぞれ、シャツ、トレーナー、セーターの袖の上からカフ５０を巻いて、接触圧分布の時間変化を測定した結果を示したグラフである。各グラフの横軸は時間（秒）、縦軸は圧力（ｐＦ）である。上記と同様に、圧力を触覚センサの静電容量として表示している。各グラフでは、触覚アレイセンサ３１を構成する各触覚センサの出力の時間変化を、すべて重ねて表示している。図中、破線で囲んだ部分で生じている、触覚センサごとの出力が立ち上がる時間差が、ΔＴに相当する。また、矢印で示した圧力差が、ΔＰ２に相当する。また、各触覚センサの出力が立ち上がる前（破線で囲んだ部分より左側）の圧力差が、ΔＰ１に相当する。
【００５８】
図９（Ａ）は、シャツの上からカフ５０を巻いて測定した場合のグラフである。この場合、圧力変化解析部４７により定量化されるばらつき量は、ΔＰ１＝６００ｐＦ、ΔＴ＝３秒、ΔＰ２＝２４００ｐＦである。このシャツの場合、接触圧分布が比較的均一であり、カフ５０の圧力変化に対して比較的一様に追従していることから、血圧測定に影響しない衣服素材であると言える。ばらつき量はすべて上記のしきい値内であるため、この場合、測定可否判定部４８は血圧測定が可能であると判定する。
【００５９】
なお、裸腕（皮膚）の上に直接カフ５０を巻いて測定した場合も、図９（Ａ）と同様の結果になる。実際には、皮膚の厚み（脂肪）が不均一であることに起因して、衣服を介さない場合であっても、接触圧分布には多少のばらつきが生じる。
【００６０】
図９（Ｂ）は、トレーナーの上からカフ５０を巻いて測定した場合のグラフである。この場合、圧力変化解析部４７により定量化されるばらつき量は、ΔＰ１＝６００ｐＦ、ΔＴ＝１２秒、ΔＰ２＝３４００ｐＦである。このトレーナーの場合、接触圧のばらつきが大きく、カフ５０の加圧に伴い接触圧が変化する際にダンピングが生じ、触覚センサ間での立ち上がりのばらつきが大きくなる。これらのことから、このトレーナーは血圧測定に影響する衣服素材であると言える。時間差ΔＴと圧力差ΔＰ２が上記のしきい値を超えているため、この場合、測定可否判定部４８は正確な血圧測定ができないと判定する。
【００６１】
図９（Ｃ）は、セーターの上からカフ５０を巻いて測定した場合のグラフである。この場合、圧力変化解析部４７により定量化されるばらつき量は、ΔＰ１＝１８００ｐＦ、ΔＴ＝２６秒、ΔＰ２＝４０００ｐＦである。このセーターの場合、接触圧のばらつきが大きく、かつ、カフ５０の加圧過程での遅延のばらつき（時間差ΔＴ）が大きくなることから、血圧測定に影響する衣服素材であると言える。すべてのばらつき量ΔＰ１，ΔＴ，ΔＰ２がしきい値を超えているため、この場合、測定可否判定部４８は正確な血圧測定ができないと判定する。
【００６２】
ところで、血圧測定に影響を及ぼす衣服で測定部位が覆われているときの不正確な測定値が記憶されると、メモリ４１に記憶されている過去の測定値をユーザが確認するときに、血圧値の変動を正しくとらえられなくなるおそれがある。そこで、図７のフローのように、血圧計１０は、血圧測定が可能であると測定可否判定部４８が判定したときだけ、測定値をメモリ４１に記憶するとよい。外部のデータ収集端末に血圧計１０の測定値を記憶する場合も同様に、血圧測定が可能であると測定可否判定部４８が判定したときだけ、測定値を記憶するとよい。
【００６３】
なお、図７のフローでは、正確な血圧測定ができないと判定されたときでも血圧値測定部４３が血圧を測定する（Ｓ１８）が、測定不可と判定されたときは血圧測定を中止してもよい。また、正確な血圧測定ができないと判定されたときには、その旨のメッセージを表示部２１に表示することに代えて、またはそれに加えて、その旨を音声ガイダンスにより被測定者に報知してもよい。
【００６４】
また、上記では、触覚アレイセンサ３１として、静電容量の変化に応じて接触圧を検出するものを用いた例を説明したが、触覚アレイセンサ３１は他の種類のものでもよい。例えば、触覚アレイセンサ３１として、接触抵抗の変化や、光の反射量の変化を利用して接触圧を検出する触覚センサが多数配列したものを使用してもよい。
【００６５】
また、血圧計１０での血圧測定方法は、被測定者の測定部位にカフを固定し、カフを加圧してから減圧する過程で血圧を測定するものであればよく、オシロメトリック方式には限定されない。
【符号の説明】
【００６６】
１０    血圧計
２０    本体
２１    表示部
２２    操作部
２３    加圧ポンプ
２５    圧力センサ
２７    スローリークバルブ
３１    触覚アレイセンサ
３２    触覚検出回路
４０    制御部
４１    メモリ
４２    加圧制御部
４３    血圧値測定部
４４    排気制御部
４５    表示制御部
４６    圧力分布取得部
４７    圧力変化解析部
４８    測定可否判定部
５０    カフ
６０    空気管
【図１】
2014184071.tif 000003
【図２】
2014184071.tif 000004
【図３】
2014184071.tif 000005
【図４】
2014184071.tif 000006
【図５】
2014184071.tif 000007
【図６】
2014184071.tif 000008
【図７】
2014184071.tif 000009
【図８】
2014184071.tif 000010
【図９】
2014184071.tif 000011